【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記被操縦体側通信装置は、電源電圧を検出する電圧検出部と、
バッテリーフェールセーフ機能を起動するための検出時間基準値を含んだ信号を受信する被操縦体側受信部と、
前記検出時間基準値を書き換え可能に記憶する被操縦体側記憶部と、
前記電源電圧と電圧基準値を比較して前記検出時間基準値以上の期間、継続して前記電源電圧が前記電圧基準値よりも低かった場合に操縦信号に代わりフェールセーフ信号を前記駆動制御装置に出力する被操縦体側制御部を備えたことを特徴とする被操縦体側通信装置。
【請求項２】
請求項１の被操縦体側通信装置において、
前記被操縦体側受信部は電源電圧と比較する電圧基準値を含んだ信号を受信し、前記被操縦体側記憶部は前記電圧基準値を書き換え可能に記憶することを特徴とする被操縦体側通信装置。
【請求項３】
操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記被操縦体側通信装置は、電源電圧を検出する電圧検出部と、
バッテリーフェールセーフ機能を起動するための検出時間基準値を書き換え可能に記憶する被操縦体側記憶部と、
前記検出時間基準値を前記被操縦体側記憶部に書き込む被操縦体側設定部と、
前記電源電圧と電圧基準値を比較して前記検出時間基準値以上の期間、継続して前記電源電圧が前記電圧基準値よりも低かった場合に操縦信号に代わりフェールセーフ信号を出力する被操縦体側制御部を備えたことを特徴とする被操縦体側通信装置。
【請求項４】
請求項３の被操縦体側通信装置において、
前記被操縦体側記憶部は電源電圧と比較する電圧基準値を書き換え可能に記憶し、
前記被操縦体側設定部は前記電圧基準値を前記被操縦体側記憶部に書き込むことを特徴とする被操縦体側通信装置。
【請求項５】
操縦信号を送信する操縦装置と、模型や産業用機器などの被操縦体に搭載されて前記操縦信号を受信する被操縦体側通信装置と、前記被操縦体を駆動制御する駆動制御装置を備え、前記被操縦体側通信装置はバッテリーフェールセーフ機能を起動するための基準値を書き換え可能に記憶する記憶部を備えた操縦用通信システムにおいて、
前記操縦装置は、バッテリーフェールセーフ機能を起動するための前記基準値である検出時間基準値を設定する操縦側設定部と、
前記操縦側設定部で設定した前記検出時間基準値を含んだ信号を前記被操縦体側通信装置に送信する操縦側送信部を備えたことを特徴とする操縦装置。
【請求項６】
請求項５に記載の操縦装置において、
前記操縦側設定部はバッテリーフェールセーフ機能を起動するための前記基準値である電圧基準値を設定し、
前記操縦側送信部は前記操縦側設定部で設定した前記電圧基準値を含んだ信号を前記被操縦体側通信装置に送信することを特徴とする操縦装置。
【請求項７】
操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記操縦装置は、検出時間基準値を設定する操縦側設定部と、
前記検出時間基準値を含んだ信号を前記被操縦体側通信装置の被操縦体側受信部に送信する操縦側送信部を備え、
前記被操縦体側通信装置は、電源電圧を検出する電圧検出部と、前記操縦側送信部より送信された前記信号に含まれる前記検出時間基準値を記憶する被操縦体側記憶部と、前記電源電圧と電圧基準値を比較して、前記検出時間以上の期間、継続して前記電源電圧が前記電圧基準値よりも低かった場合に前記操縦信号に代わりフェールセーフ信号を出力する被操縦体側制御部を備えたことを特徴とする操縦用通信システム。
【請求項８】
請求項７記載の操縦用通信システムにおいて、
前記操縦側設定部は前記被操縦体側通信装置の電源電圧と比較をするための電圧基準値を設定し、
前記操縦側送信部は前記電圧基準値を含んだ信号送信し、
前記被操縦体記憶部は前記操縦側送信部から送信された前記信号に含まれる前記電圧基準値を記憶することを特徴とする操縦用通信システム。
【手続補正２】
【補正対象書類名】明細書
【補正対象項目名】０００１
【補正方法】変更
【補正の内容】
【０００１】
本発明は、操縦信号を送信する操縦装置と、模型や産業用機器などの被操縦体に搭載されて操縦信号を受信する被操縦体側通信装置と、被操縦体を駆動制御する駆動制御装置を備えた操縦用通信システムに係り、特に被操縦体側通信装置に使用する電源の電圧の低下を操縦者に知らせることを特徴とする操縦用通信システムに関するものである。
【手続補正３】
【補正対象書類名】明細書
【補正対象項目名】０００５
【補正方法】変更
【補正の内容】
【０００５】
そのため、操縦用通信システムにおいて、被操縦体側通信装置の電源電圧の低下を、被操縦体の動作を通して操縦者に知らせるためのバッテリーフェールセーフ機能が存在する。
例として、被操縦体側通信装置の電源電圧が所定の値以下になると、サーボ装置の出力軸の角度位置をあらかじめ設定しておいた角度位置になるように制御信号を出力する。これによって、被操縦体が模型飛行機の場合は、旋回などの動作をおこなわせる。
別の例として、エンジンのスロットルレバーの制御をおこなっているサーボ装置にバッテリーフェールセーフ機能を作用させる場合には、エンジンのスロットルを閉じ、エンジンの回転数を最低回転数にするなどの制御をおこなわせる。
【手続補正４】
【補正対象書類名】明細書
【補正対象項目名】０００９
【補正方法】変更
【補正の内容】
【０００９】
切替え回路３３は、通常、操縦信号Ｍを出力するが、電圧検出回路３４で検出した電源３５の電圧が電圧基準値以下になった場合、切替え回路３３は操縦信号Ｍに替えてバッテリーフェールセーフ機能用の操縦信号Ｓをエンジン制御用サーボ装置に出力する。
操縦者は、被操縦体がバッテリーフェールセーフ機能によって動作していることを確認したら、被操縦体を回収、または操縦装置によってエンジン制御用サーボ装置以外のサーボ装置を制御して、被操縦体を安全位置に退避させる。
【手続補正５】
【補正対象書類名】明細書
【補正対象項目名】００１６
【補正方法】変更
【補正の内容】
【００１６】
請求項１に記載の被操縦体側通信装置は、操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記被操縦体側通信装置は、電源電圧を検出する電圧検出部と、バッテリーフェールセーフ機能を起動するための検出時間基準値を含んだ信号を受信する被操縦体側受信部と、前記検出時間基準値を書き換え可能に記憶する被操縦体側記憶部と、前記電源電圧と電圧基準値を比較して前記検出時間基準値以上の期間、継続して前記電源電圧が前記電圧基準値よりも低かった場合に操縦信号に代わりフェールセーフ信号を前記駆動制御装置に出力する被操縦体側制御部を備えたことを特徴とする。
【手続補正６】
【補正対象書類名】明細書
【補正対象項目名】００１７
【補正方法】変更
【補正の内容】
【００１７】
請求項２に記載の被操縦体側通信装置は、請求項１の被操縦体側通信装置において、
前記被操縦体側受信部は電源電圧と比較する電圧基準値を含んだ信号を受信し、前記被操縦体側記憶部は前記電圧基準値を書き換え可能に記憶することを特徴とする。
【手続補正７】
【補正対象書類名】明細書
【補正対象項目名】００１８
【補正方法】変更
【補正の内容】
【００１８】
請求項３に記載の被操縦体側通信装置は、操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記被操縦体側通信装置は、電源電圧を検出する電圧検出部と、バッテリーフェールセーフ機能を起動するための検出時間基準値を書き換え可能に記憶する被操縦体側記憶部と、前記検出時間基準値を前記被操縦体側記憶部に書き込む被操縦体側設定部と、前記電源電圧と電圧基準値を比較して前記検出時間基準値以上の期間、継続して前記電源電圧が前記電圧基準値よりも低かった場合に操縦信号に代わりフェールセーフ信号を出力する被操縦体側制御部を備えたことを特徴とする。
【手続補正８】
【補正対象書類名】明細書
【補正対象項目名】００２０
【補正方法】変更
【補正の内容】
【００２０】
請求項５に記載の操縦装置は、操縦信号を送信する操縦装置と、模型や産業用機器などの被操縦体に搭載されて前記操縦信号を受信する被操縦体側通信装置と、前記被操縦体を駆動制御する駆動制御装置を備え、前記被操縦体側通信装置はバッテリーフェールセーフ機能を起動するための基準値を書き換え可能に記憶する記憶部を備えた操縦用通信システムにおいて、
前記操縦装置は、バッテリーフェールセーフ機能を起動するための前記基準値である検出時間基準値を設定する操縦側設定部と、前記操縦側設定部で設定した前記検出時間基準値を含んだ信号を前記被操縦体側通信装置に送信する操縦側送信部を備えたことを特徴とする。
【手続補正９】
【補正対象書類名】明細書
【補正対象項目名】００２２
【補正方法】変更
【補正の内容】
【００２２】
請求項７に記載の操縦用通信システムは、操縦信号を送信する操縦装置と、模型や産業用機器などの被操縦体に搭載されて前記操縦信号を受信する被操縦体側通信装置と、前記被操縦体を駆動制御する駆動制御装置を備えた操縦用通信システムにおいて、
前記操縦装置は、検出時間基準値を設定する操縦側設定部と、前記検出時間基準値を含んだ信号を前記被操縦体側通信装置の被操縦体側受信部に送信する操縦側送信部を備え、前記被操縦体側通信装置は、電源電圧を検出する電圧検出部と、前記操縦側送信部より送信された前記信号に含まれる前記検出時間基準値を記憶する被操縦体側記憶部と、前記電源電圧と電圧基準値を比較して、前記検出時間以上の期間、継続して前記電源電圧が前記電圧基準値よりも低かった場合に前記操縦信号に代わりフェールセーフ信号を出力する被操縦体側制御部を備えたことを特徴とする。
【手続補正１０】
【補正対象書類名】明細書
【補正対象項目名】００３７
【補正方法】変更
【補正の内容】
【００３７】
被操縦体側制御部２０は、操縦信号を復調して駆動制御装置５に出力する。また、被操縦体側制御部２０は、バッテリー測定電圧Vadを被操縦体側記憶部２１から読込んだ電圧基準値Vthと比較する電圧比較部２５と、被操縦体側記憶部２１から読込んだ検出時間基準値Cth以上の期間継続して、バッテリー測定電圧Vadが電圧基準値Vthを下回っていた場合、フェールセーフ信号を駆動制御装置５に出力するフェールセーフ機能部２６を備えている。
被操縦体側制御部２０は、ＣＰＵによって実際の処理をおこなっている。
【手続補正１１】
【補正対象書類名】明細書
【補正対象項目名】００３９
【補正方法】変更
【補正の内容】
【００３９】
次に、被操縦体側通信装置４にバッテリーフェールセーフに用いる電圧基準値Vthと検出時間基準値Cthを設定する方法について説明する。
操縦用装置２は、被操縦体３を操縦する操縦用のモードと、バッテリーフェールセーフに用いる基準値やその他の設定を変更する設定用のモードを備えている。
まず、操縦装置２において、設定用のモードを指定して、バッテリーフェールセーフ機能の電圧基準値Vthと検出時間基準値Cthの設定画面を呼び出し、表示部１５に表示する。電圧基準値Vthと検出時間基準値Cthの設定画面は、それぞれ別個のものを用意してもよい。
【手続補正１２】
【補正対象書類名】明細書
【補正対象項目名】００４２
【補正方法】変更
【補正の内容】
【００４２】
被操縦体側通信装置４はペアリングで操縦装置２の識別符号を被操縦体側記憶部２１に登録するときに電圧基準値Vthと検出時間基準値Cthも被操縦体側記憶部２１に記憶させる。
また、被操縦体側記憶部２１にはあらかじめデフォルトの電圧基準値Vthと検出時間基準値Cthが設定されていてもよい。
【手続補正１３】
【補正対象書類名】明細書
【補正対象項目名】００４３
【補正方法】変更
【補正の内容】
【００４３】
ペアリングの信号は操縦側送信部１２と被操縦体側受信部２２を用いて、電波によって送受信するが、操縦装置２と被操縦側通信装置４をケーブルで有線接続して信号を送受信してもよい。また、ペアリングの信号とは別に電圧基準値Vthと検出時間基準値Cthのみを送受信してもよい。
【手続補正１４】
【補正対象書類名】明細書
【補正対象項目名】００４６
【補正方法】変更
【補正の内容】
【００４６】
まず、検出カウンタ値Cdetを０として、電圧基準値Vth、検出時間基準値Cthを被操縦体側記憶部２１から被操縦体側制御部２０に読み出して、タイマをスタートする（Ｓ１）。タイマは、被操縦体側制御部２０に備えられており、所定の期間（例えば数十ミリ秒）で割込みをおこなう（Ｓ２、ＹＥＳ）。タイマの割込みが起こると電源回路２４を介し、電圧検出部２３で電源であるバッテリー６の電圧を測定する（Ｓ３）。